(57)【特許請求の範囲】
【請求項１】
建物の張出部を支持する基礎梁と杭との配置方法において、
前記基礎梁のうち建物側から突出させる基礎梁を交差させて配置し、当該基礎梁同士が交差する個所の直下に支持用の杭を配置すること、
を特徴とする建物の張出部を支持する基礎梁と杭との配置方法。
【請求項２】
基礎梁は、平面視してＸ型，Ｖ型，Ｕ型若しくはＷ型に配置して交差させたこと、
を特徴とする請求項１に記載の建物の張出部を支持する基礎梁と杭との配置方法。
【請求項３】
建物の張出部を支持する基礎梁と杭との配置構造において、
前記基礎梁のうち建物側から突出させる基礎梁を交差するように配置して形成され、
当該基礎梁同士が交差する個所の直下に支持用の杭が形成されていること、
を特徴とする建物の張出部を支持する基礎梁と杭との配置構造。
【発明の詳細な説明】
【技術分野】
【０００１】
本発明は、建物のエントランス庇や外部階段等の比較的荷重負担の少ない平面的な張出部を支持する基礎の構造に係り、当該基礎構造において必要な基礎梁と杭との配置方法と配置構造に関するものである。
【背景技術】
【０００２】
従来、図４に示すように、エントランス庇２０は、庇の建物２１から突出した先端の両隅に２本の柱２２で支持される。そして、前記庇２０を囲うように基礎梁２３が四辺周囲に配置される。前記柱２２の直下に杭２４が設けられるものが知られている（特許文献１参照）。
【先行技術文献】
【特許文献】
【０００３】
【特許文献１】特開平６−３３０５３２号公報
【発明の概要】
【発明が解決しようとする課題】
【０００４】
しかし、従来の建物の張出部を支持する基礎梁と杭との配置方法によれば、四辺周囲に配置した基礎梁の先端側の２個所に柱を設けたので、その柱直下に杭を設けるようにしていることから、杭の本数が２本となっている。これでは、荷重負担が少ないにもかかわらず杭本数が多くなっている。また、杭の支持層の深度が深い場合には、２本分の杭のコストが嵩むことになり、必要支持力に対するコストが高くなるという課題がある。本発明に係る建物の張出部を支持する基礎梁と杭との配置方法と配置構造は、このような課題を解決するために提案されたものである。
【課題を解決するための手段】
【０００５】
本発明に係る建物の張出部を支持する基礎梁と杭との配置方法の上記課題を解決して目的を達成するための要旨は、建物の張出部を支持する基礎梁と杭との配置方法において、前記基礎梁のうち建物側から突出させる基礎梁を交差させて配置し、当該基礎梁同士が交差する個所の直下に支持用の杭を配置することである。
前記基礎梁は、平面視してＸ型，Ｖ型，Ｕ型若しくはＷ型に配置して交差させたことを含むものである。
また、建物の張出部を支持する基礎梁と杭との配置構造の要旨は、建物の張出部を支持する基礎梁と杭との配置構造において、前記基礎梁のうち建物側から突出させる基礎梁を交差するように配置して形成され、当該基礎梁同士が交差する個所の直下に支持用の杭が形成されていることである。
【発明の効果】
【０００６】
本発明の建物の張出部を支持する基礎梁と杭との配置方法と配置構造によれば、杭の本数が従来例に比較して減少することになる。よって、躯体コスト，工期，掘削土量の低減が図れる。負担荷重と杭支持力とのバランスが良くなる。特に地盤が悪く基礎が深い場合には、杭１本のコストが嵩むので、低減効果が増すものである。
庇エリアなどの張出部の中心付近で杭が荷重を受けることになり、床の沈下対策としても有効になる等と言う数々の優れた効果を奏するものである。
【図面の簡単な説明】
【０００７】
【図１】本発明に係る建物の張出部を支持する基礎梁と杭との配置構造を示す図である。
【図２】同本発明の他の実施例に係る建物の張出部を支持する基礎梁と杭との配置構造を示す図である。
【図３】同本発明の他の実施例を示す概略平面図（Ａ），側面図（Ｂ），基礎梁３と杭４との配置を示す概略平面図（Ｃ），（Ｄ）である。
【図４】従来例に係る張出部を支持する基礎梁と杭との配置構造を概略的に示す図である。
【発明を実施するための形態】
【０００８】
本発明に係る建物の張出部を支持する基礎梁と杭との配置方法は、図１に示すように、建物１の張出部用基礎２における建物側から突出した基礎梁３，…と杭４との配置方法において、前記基礎梁３を平面視してＸ型に配置して、その基礎梁３，３同士が交差する個所の直下に支持用の杭４を配置することである。
【実施例１】
【０００９】
前記張出部用基礎２は、建物１から平面的に突出する上部庇５の下位置における地盤部分である。前記基礎梁３は、建物１から突出して上部庇５を支持する柱６，６との間に設けられる基礎梁である。また、前記柱６，６間の基礎梁は符号７で示している。
【００１０】
更に、前記柱６は、上部庇５の先端部側において支持するように配設されているものである。こうして、前記杭４を、予め前記基礎梁３，３の交差する点の位置に構築する。その後、基礎梁３，３をＸ型状に形成するものである。そして、地盤を基礎梁３，３の間に埋戻してその上に土間コンクリートを形成する。また、柱６、６と上部庇５とを現場コンクリート打ち、若しくは、プレキャストコンクリート製，鉄骨製の柱等を建て入れなどして構築する。
【００１１】
前記杭４を構築する際に、地盤が軟弱であったりして基礎が深いときにはコストが嵩むことになるが、図１に示すように、本発明に係る方法では１本の杭４で済むので、従来例に比較してコストが低減される。このような配置方法により、図１に示す基礎梁と杭との配置構造ができ上がる。Ｘ（クロス）型の基礎梁３，３により、庇下を車寄せとして利用する場合には、繰り返しの活荷重に対する沈下防止としても作用して効果的である。
【実施例２】
【００１２】
図２に示すように、建物の張出部を支持する基礎梁と杭との配置方法の他の実施例として、前記基礎梁のうち建物側から突出させる基礎梁３，３を平面視してＶ型に配置して、その突出させた基礎梁３を平面視してＶ型に配置し、その基礎梁３，３同士が交差する個所の直下に支持用の杭４を配置するものである。実施例１のＸ型からの発展形となっている。その他、前記基礎梁３，３は、上記実施例１，２において直線状にＸ型，Ｖ型に配置するだけに限らず、平面視してＵ型若しくはＷ型に配置したり、その他に曲線状のＸ型やＶ型，Ｕ型，Ｗ型等に配置したりして交差させる配置も含むものである。この配置構造も上記実施例１と同様の効果を奏するものである。
【実施例３】
【００１３】
図３（Ａ），（Ｂ）に示すように、建物１におけるセットバックに、鉄骨造の下屋部分８が有る場合にも、図３（Ｃ），（Ｄ）に示すように、基礎梁３，３を平面視して直線状のＸ型，Ｖ型，Ｕ型若しくはＷ型、その他に、曲線状のＸ型やＶ型，Ｕ型，Ｗ型等に配置し交差させて配置して、杭４を１本にするものである。このように、本発明の配置方法を適用することが可能である。この場合にも、上記実施例１，２と同様の作用・効果を奏するものである。
【産業上の利用可能性】
【００１４】
本発明に係る建物の張出部を支持する基礎梁と杭との配置方法と配置構造は、比較的荷重負担の小さい突出物を支持する場合の基礎部分に広く適用することができてコスト低減をもたらすものである。
【符号の説明】
【００１５】
１          建物、
２          張出部用基礎、
３          基礎梁、
４          杭、
５          上部庇、
６          柱、
７          基礎梁、
８          下屋部分、
２０        エントランス庇、
２１        建物、                                      
２２        柱、
２３        基礎梁、
２４        杭。
【図１】
0005426418.tif 000002
【図２】
0005426418.tif 000003
【図３】
0005426418.tif 000004
【図４】
0005426418.tif 000005